(57)【特許請求の範囲】
【請求項１】
情報の入出力機能と情報の送受信機能とを有する複数の携帯端末を含む第１携帯端末群とネットワークを介して関連付けされ、前記携帯端末の情報の管理を行うサービス提供サーバを用いて情報サービス提供業者が提供する情報提供サービスであって、前記第１携帯端末群に属するそれぞれの携帯端末の位置情報を取得するステップと、前記第１携帯端末群中の第１携帯端末から情報提供対象の位置と内容とを含む情報提供要求を受けるステップと、前記第１携帯端末群中から、前記位置を含む対象エリア内に存在する第２携帯端末群を検索するステップと、前記第２携帯端末群に対して前記情報提供要求に対する応答を依頼するステップと、前記第２携帯端末群中の第２携帯端末からの応答を受けて応答内容を前記第１携帯端末に送るステップと、を有し、
前記第２携帯端末群中の第２携帯端末からの応答を受けて応答内容を前記第１携帯端末に送るステップは、前記第１携帯端末群に属する携帯端末のそれぞれが送信する送信情報の性能と前記第１携帯端末の情報出力性能とを照合して前記第１携帯端末で出力可能な情報に変換するサブステップを含む情報提供サービス。
【請求項２】
前記第１携帯端末群中から、前記位置を含む対象エリア内に存在する第２携帯端末群を検索するステップは、第２携帯端末群に属する携帯端末数の大小により前記対象エリアを縮小又は拡大するサブステップを含む請求項１に記載の情報提供サービス。
【請求項３】
前記サービス提供サーバは、前記第１携帯端末群の端末情報であって、特定の基準によりグループ分けされた端末情報を格納する端末情報データベースを備えており、前記第１携帯端末群中から、前記位置を含む対象エリア内に存在する第２携帯端末群を検索するステップは、前記内容と前記グループ分けされた端末情報とを照合して前記内容に類似する前記グループ分けされた端末情報を有する携帯端末中から検索するサブステップを含む請求項１又は２に記載の情報提供サービス。
【請求項４】
前記特定の基準は、前記携帯端末のユーザの嗜好又はユーザの行動履歴である請求項３に記載の情報提供サービス。
【請求項５】
前記サービス提供サーバは、さらに、前記第１携帯端末群中のそれぞれの携帯端末が保持し有価価値を有するポイントを管理する点数管理手段を有しており、該点数管理手段により情報提供端末に対して提供した情報に応じてポイントを加算するとともに、情報要求端末に対して提供された情報に応じてポイントを減算するステップを有し、前記ポイントは前記情報提供対象の位置に応じてその増減幅が変更されることを特徴とする請求項１から４までのいずれか１項に記載の情報提供サービス。
【請求項６】
さらに、前記第２携帯端末群中の第２携帯端末からの応答を受けて該第２携帯端末を特定する情報を前記第１携帯端末に送るステップを有する請求項１に記載の情報提供サービス。
【請求項７】
さらに、前記第１携帯端末を特定する情報を取得するステップと、前記第１携帯端末を特定する情報を前記第２携帯端末に送るステップとを有する請求項１に記載の情報提供サービス。
【請求項８】
前記第１携帯端末群中から、前記位置を含む対象エリア内に存在する第２携帯端末群を検索するステップは、前記第１携帯端末群に属する携帯端末のそれぞれが送信する送信情報の性能と前記第１携帯端末の情報出力性能とを照合して前記第１携帯端末で出力可能な送信情報の性能を有する携帯端末を前記第２携帯端末中から選択するサブステップを含む請求項１から７までのいずれか１項に記載の情報提供サービス。
【請求項９】
前記第１携帯端末で出力可能な送信情報の性能を有する携帯端末を前記第２携帯端末中から選択するサブステップは、前記第２携帯端末における送信性能の高い順に選択を行う請求項８に記載の情報提供サービス。
【請求項１０】
前記サービス提供サーバは、前記第１携帯端末群の端末情報を格納する端末情報データベースを備えており、前記第１携帯端末群中から、前記位置を含む対象エリア内に存在する第２携帯端末群を検索するステップは、前記内容と前記位置情報とを照合して前記内容と類似する端末情報を有する携帯端末中から検索するサブステップを含む請求項１から９までのいずれか１項に記載の情報提供サービス。
【請求項１１】
前記内容と前記位置情報とを照合して前記内容と類似する端末情報を有する携帯端末中から検索するサブステップは、前記第２携帯端末から受けた前記提供情報に対する評価の高い順番に前記第２の携帯端末を抽出するステップを含む請求項１０に記載の情報提供サービス。
【請求項１２】
さらに、サービス内容を過去情報として記憶しておき、新たな情報提供要求時に前記過去情報を前記第１携帯端末に送るステップを含む請求項１から１１までのいずれか１項に記載の情報提供サービス。
【請求項１３】
さらに、広告情報を提供する広告提供サーバを備える広告情報提供者を有しており、前記第２携帯端末群に対して前記情報提供要求に対する応答を依頼するステップは、前記サービス提供サーバが前記広告提供サーバから前記広告情報を受けて、前記第２携帯端末群に対して前記広告情報を送るステップを含む請求項１から１２までのいずれか１項に記載の情報提供サービス。
【請求項１４】
前記広告情報は、前記対象エリアに基づいて選択された広告情報である請求項１３に記載の情報提供サービス。
【請求項１５】
さらに、広告情報を提供する広告提供サーバを備える広告情報提供者を有しており、前記第２携帯端末群中の第２携帯端末からの応答を受けて応答内容を前記第１携帯端末に送るステップは、前記サービス提供サーバが前記広告提供サーバから前記広告情報を受けて、前記第１携帯端末に対して前記広告情報を送るステップを含む請求項１に記載の情報提供サービス。
【発明の詳細な説明】
【０００１】
【発明の属する技術分野】
本発明は、情報の提供を要求する携帯端末に対して、ネットワークを介して接続された情報提供サーバにより情報を提供する情報提供サービスに関する。
【０００２】
【従来の技術】
特定の地域や施設に関する最新情報を提供する手段として、ＷＷＷ（Ｗｏｒｌｄ  Ｗｉｄｅ  Ｗｅｂ）による情報提供サービスを利用することが可能である。
例えば、遊園地運営者が、現在の入場制限の有無や駐車場の混雑度をＷＷＷサーバ上に提供し、情報を要求する側は移動体端末などを用いてＷＷＷサーバにアクセスし所定の情報を得ることができる。
【０００３】
特開２００１−１９７５６４号公報には、情報提供側から情報内容の変更情報をセンターに通知することで、センターにおいてデータベースの更新を行い、移動体端末からの情報要求時には、更新されたデータベースに基づいてセンターから情報提供を行うシステムが記載されている。
【０００４】
上記ＷＷＷサーバにアクセスする際には、各施設に対応したＵＲＬ（Ｕｎｉｆｏｒｍ  Ｒｅｓｏｕｒｃｅ  Ｌｏｃａｔｏｒ）を情報要求側から入力する必要がある。情報要求側の現在位置や指定により、現在地付近や指定場所の最新情報を得ることができ、例えば、現在地付近や指定地域付近の空き室のあるカラオケ店情報の取得等が可能となる。さらに、ＧＰＳ（Ｇｌｏｂａｌ  Ｐｏｓｉｔｉｏｎｉｎｇ  Ｓｙｓｔｅｍ）やＰＨＳ（Ｐｅｒｓｏｎａｌ  ＨａｎｄｙｐｈｏｎｅＳｙｓｔｅｍ）により提供される位置情報を利用して、情報提供側から現在位置情報も送信することによって、例えば、屋台のように施設が移動する場合の詳しい位置情報を提供することも可能となっている。
【０００５】
一方、特開２００１−１６８９０９号公報には、複数の移動体端末の位置情報を監視し、情報要求端末から送信される住所などの情報に基づき、指定地域付近に存在する移動体端末の連絡先を通知する情報提供システムに関する記載がある。
【０００６】
この情報提供システムを用いれば、例えば遊園地内に移動体端末を所持した係員を配置し、情報要求側から、あるアトラクションに対する問い合わせがあった際には、付近に位置する移動体端末の連絡先を返信することができる。これにより、情報要求側がアトラクション付近にいる係員と直接連絡をとれるようになり、各アトラクションの混雑情報など、特定の場所に関する最新情報を得ることが可能となる。
【０００７】
【発明が解決しようとしている課題】
しかしながら、上述したＷＷＷサーバ上にリアルタイム情報を更新し、情報提供側より更新した情報にもとづきセンターから情報提供を行う場合には、以下のような問題点が存在していた。
【０００８】
（１）情報提供側が想定した情報のみが提供可能であるため、情報要求側の欲する情報が提供されない場合がある。
（２）各アトラクションの混雑状況を調べにいくまでの手間や、駐車場の空き状況を確認するための手間がかかる。これを自動化するためには、監視カメラ等を設置する必要があり、そのための余分なコストがかかる。
（３）所定のタイミングで情報を更新する場合に、情報を更新するタイムラグが大きいと、情報提供者側が提供した情報と、情報要求者側が取得した情報とが異なるものになる可能性が高い。情報を更新するタイムラグを小さくしようとすると、情報提供者側のコストがアップする。
【０００９】
また、特開２００１−１６８９０９号公報のように、係員と直接連絡を取れるシステムの場合、係員を各地点に配置するためのコストが必要であるうえに、十分な数の係員がいないと、指定したアトラクション（場所）付近に係員を配置でいない状況となり、提供できる情報が限定されたものになってしまうという問題がある。
【００１０】
さらに、両者に共通している問題点として、施設の運営者から情報の提供が行われるため、得られる情報は混雑度のような客観的な情報か、施設のＰＲ情報となり、施設の利用感想のような主観的な情報を得ることが難しいという問題点もある。
本発明は、情報要求端末側が必要とする情報をリアルタイムに送るサービスを提供することを目的とする。
【００１１】
【課題を解決するための手段】
本発明の一観点によれば、情報の入出力機能と情報の送受信機能とを有する複数の携帯端末を含む第１携帯端末群とネットワークを介して関連付けされ、前記携帯端末の情報の管理を行うサービス提供サーバを用いて情報サービス提供業者が提供する情報提供サービスであって、前記第１携帯端末群に属するそれぞれの携帯端末の位置情報を取得するステップと、前記第１携帯端末群中の第１携帯端末から情報提供対象の位置と内容とを含む情報提供要求を受けるステップと、前記第１携帯端末群中から、前記位置を含む対象エリア内に存在する第２携帯端末群を検索するステップと、前記第２携帯端末群に対して前記情報提供要求に対する応答を依頼するステップとを有する情報提供サービスが提供される。
【００１２】
上記情報提供サービスによれば、的確な情報をより迅速かつ確実に得ることができる。
さらに、前記第１携帯端末を特定する情報を取得するステップと、前記第１携帯端末を特定する情報を前記第２携帯端末に送るステップとを具備することにより、情報要求側が自らのメールアドレスなどを公開し、情報提供側と情報要求側がピア・ツー・ピアで情報のやり取りを行うこともできる。
【００１３】
本発明の他の観点によれば、情報の入出力機能と情報の送受信機能とを有する複数の携帯端末を含む第１携帯端末群とネットワークを介して関連付けされ、前記携帯端末の情報の管理を行うサービス提供サーバであって、前記第１携帯端末群に属するそれぞれの携帯端末の位置情報を取得する位置情報取得手段と、前記第１携帯端末群中の第１携帯端末から情報提供対象の位置と内容とを含む情報提供要求を受け、前記第１携帯端末群中から、前記位置を含む対象エリア内に存在する第２携帯端末群を検索し、前記第２携帯端末群に対して前記情報提供要求に対する応答を依頼する手段とを有するサービス提供サーバを含む情報提供システムが提供される。取得された位置情報は適宜更新される。
【００１４】
本発明の別観点によれば、情報の入出力機能と情報の送受信機能とを有する複数の携帯端末を含む第１携帯端末群とネットワークを介して関連付けされ、前記携帯端末の情報の管理を行うサービス提供サーバにより情報提供サービスを実行させるためのプログラムであって、前記第１携帯端末群に属するそれぞれの携帯端末の位置情報を取得するステップと、前記第１携帯端末群中の第１携帯端末から情報提供対象の位置と内容とを含む情報提供要求を受けるステップと、前記第１携帯端末群中から、前記位置を含む対象エリア内に存在する第２携帯端末群を検索するステップと、前記第２携帯端末群に対して前記情報提供要求に対する応答を依頼するステップとを前記サービス提供サーバに実行させるためのプログラムが提供される。
【００１５】
【発明の実施の形態】
本明細書において、携帯端末という用語は、携帯電話やＰＤＡ（Ｐｅｒｓｏｎａｌ  Ｄｉｇｉｔａｌ  Ａｓｓｉｓｔａｎｔ）、携帯用ノートＰＣなどが含まれ、その形態を限定するものではない。
【００１６】
以下、本発明の第１の実施の形態について図面を参照して説明する。図１は、本発明の第１の実施形態による情報提供サービスシステムの全体構成を示すブロック図である。
【００１７】
図１に示すように、本発明の第１の実施形態による情報提供サービスシステムＡは、仲介サーバ（情報提供サーバ）１０１と、広告サーバ１０２と、課金サーバ１０３と、複数の携帯端末１０４・１０５と、ネットワーク１０６と、無線基地局１０７とを有している。
【００１８】
仲介サーバ１０１は、例えば有線回線を介してネットワーク１０６と接続され、情報を要求する情報要求端末１０５と情報を提供する情報提供端末１０４との仲介を行う。広告サーバ１０２は、情報要求端末１０５と、情報提供端末１０４とに送信する広告情報の保持、探索をおこなう。課金サーバ１０３は、仲介サーバ１０１から受け取った携帯端末情報に基づき、情報の送受に関する課金処理を行う。
【００１９】
尚、本実施の形態においては、仲介サーバ、広告サーバ、課金サーバをネットワーク上に設ける構成を例にして説明するが、電話網における通信交換機又はＩＰ網におけるルータに、仲介サーバ、広告サーバ、課金サーバなどに相当する機能を付与しても良いことは明らかである。
【００２０】
情報要求端末１０５は、無線基地局１０７を介してネットワーク１０６に接続され、要求する情報内容を指定する情報指定データと情報内容を得たい地域を特定する地域指定データとメールアドレスや電話番号など自己の端末を特定する端末固有データを仲介サーバ１０１に送信する。さらに、情報要求端末１０５は、仲介サーバ１０１より受信した提供情報を表示する。
【００２１】
情報提供端末１０４は、無線基地局１０７を介してネットワーク１０６に接続され、仲介サーバ１０１から情報提供依頼を受信及び表示し、端末使用者により入力された提供情報を仲介サーバ１０１に送信する。
【００２２】
図２から図６までを参照して、仲介サーバ１０１と、広告サーバ１０２と、課金サーバ１０３と、情報提供端末１０４と、情報要求端末１０５との詳細な構成に関して説明する。適宜図１を参照する。
【００２３】
図２は、仲介サーバ１０１の構成を示すブロック図である。
図２に示すように、仲介サーバ１０１は、制御手段２０１と、情報要求取得手段２０２と、提供情報受信手段２０３と、端末情報取得手段２０４と、評価データ受信手段２０５と、情報提供手段２０６と、情報提供依頼手段２０７と、広告情報送信手段２０８と、情報提供端末探索手段２０９と、端末情報テーブルアクセス手段２１０と、地域管理テーブル２１１と、端末情報テーブル２１２と、過去情報検索手段２１３と、過去情報記憶手段２１４と、過去情報テーブル２１５と、情報変換手段２１６と、広告情報取得手段２１７と、課金情報送信手段２１８と、プログラム格納手段２１９とを含んで構成されている。
【００２４】
制御手段２０１は、プログラム格納手段２１９から読み出したプログラムに従って各部の制御を行う。情報要求取得手段２０２は、例えば、情報要求端末１０５から送信された地域指定データ、情報指定データ、端末固有データを取得する。提供情報受信手段２０３は、情報提供端末１０４から送信された提供情報を取得する。
【００２５】
端末情報取得手段２０４は、情報提供端末１０４、情報要求端末１０５から登録された端末固有データや、情報提供端末１０４から送信された位置データ等の端末情報を取得する。評価データ受信手段２０５は、情報要求端末１０５から情報提供に対する評価データを受信する。情報提供手段２０６は、提供情報受信手段２０３によって取得した提供情報を情報要求端末１０５に送信する。情報提供依頼手段２０７は、情報要求取得手段２０２が取得した情報要求内容に基づき、情報提供端末探索手段２０９により選択された情報提供端末１０４（図１では、符号１０４−１、１０４−２で示される）に対して、情報提供の依頼を送信する。
【００２６】
情報提供端末探索手段２０９は、端末情報テーブル２１２に登録された端末中から、地域指定データ・情報指定データに基づき適当な端末を選択する。端末情報テーブル２１２は、例えば図１２に示す形式で保持されており、ユーザ（端末保有者）のＩＤと、メールアドレスと、性別と、年齢と、趣味／嗜好などの保有者情報、端末の現在の位置データと、現在、情報提供依頼に応答できるか否かの対応可否情報と、情報要求又は情報提供によって増減するポイントの累計値と、これまでの情報提供内容に対する評価値と、端末の表示性能データと、入力性能データとが記録されている。保有者情報としては、この他、ユーザの職業や家族構成などの個人情報を含んでもよい。
【００２７】
表示性能データは、提供された情報を表示するための機能を端末が有しているか否かの情報を表示しており、図１２ではＪＰＥＧなどの静止画表示機能、ＭＰＥＧ４などの動画表示機能を有するか否かに関する情報が記録される。この項目には、例えば音声などの再生機能の有無に関する項目を加えても良いし、表示できる画像サイズやフォーマットなどの詳細な情報を加えてもよい。同様に、入力性能データには、静止画や動画情報を提供するためのカメラ機能等を有するか否かなどの情報が記録される。
【００２８】
地域管理テーブル２１１は、例えば、図１５に示す形式で保持されている。図１５に示すように、情報要求端末１０５から指定される地域指定データ（場所）と位置データとの対応を示したテーブルである。尚、図１４では、位置データをＡ１、Ａ２のようなエリア名として表しているが、緯度経度などの絶対位置により示しても良いし、その他、位置が特定できる様々な情報を含んでいても良い。
【００２９】
端末情報テーブルアクセス手段２１０は、各携帯端末の位置データや対応可否情報に変更があった際に、端末情報取得手段２０４で得られた情報に基づき端末情報テーブル２１２内の情報の更新を行ったり、各携帯端末に関する情報を取得したりするために用いられる。
【００３０】
過去情報記憶手段２１４は、図１８に示す過去情報テーブル２１５のように、情報要求内容や提供情報内容の履歴を記憶する。記憶された内容は、過去情報検索手段２１３によって、取得することができる。
【００３１】
情報変換手段２１６は、情報提供端末１０４から取得した提供情報を情報要求端末１０５で表示できる形式のデータに変換する。広告情報取得手段２１７は、広告サーバに端末情報を送信し、広告サーバから当該端末に最適な広告情報を受け取る。受け取った広告情報は広告情報送信手段２０８より、情報提供端末１０４又は情報要求端末１０５の少なくとも一方に送られる。課金情報送信手段２１８は、端末情報テーブルアクセス手段２１０より取得した端末情報を課金サーバ１０３に送信することで課金処理を行う。
【００３２】
図３は、情報要求端末１０５の構成例を示す機能ブロック図である。情報要求端末１０５は、制御手段３０１と、プログラム格納手段３０２と、記憶手段３０３と、入力手段３０４と、データ受信手段３０５と、データ送信手段３０６と、表示手段３０７とを有している。
【００３３】
制御手段３０１は、プログラム格納手段３０２に格納されたプログラムに従って各部を制御する。記憶手段３０３は、メールアドレスなどの端末固有データを保持し、また受信した提供情報を一時的に記憶する。入力手段３０４は、キー等によって使用者の入力を受け付ける。データ受信手段３０５は、仲介サーバ１０１より提供情報を受信する。データ送信手段３０６は、端末固有データと、情報指定データと、地域指定データとを仲介サーバ１０１に対して送信する。また、提供情報に対する評価結果も送信する。表示手段３０７は受信した提供情報を画面に表示する。
【００３４】
図４は、情報提供端末１０４の構成例を示す機能ブロック図である。情報提供端末１０４は、制御手段４０１と、プログラム格納手段４０２と、記憶手段４０３と、入力手段４０４と、位置データ取得手段４０５と、カメラ４０６と、データ受信手段４０７と、データ送信手段４０８と、表示手段４０９とを有している。
【００３５】
情報提供端末１０４は、情報要求端末１０５とほぼ同等の構成（機能）を有しているが、さらに、例えば、ＧＰＳ（Ｇｌｏｂａｌ  ｐｏｓｉｔｉｏｎｏｎｇ  ｓｙｓｔｅｍ）によって位置データを取得する位置データ取得手段４０５と、画像情報を入力するためのカメラ４０６を有している。位置データ取得手段４０５により取得された位置データを仲介サーバ１０１に対して送信し、所望の機会に位置データを更新することが可能である。
【００３６】
尚、ＰＨＳなどの携帯端末（移動体端末）が、基地局との間で行っている端末の位置登録で使用されるセル情報を利用すれば、携帯端末側がＧＰＳなどの特別な機能を有していない場合でも、仲介サーバ１０１は、携帯端末の位置データを取得し更新することが可能である。
【００３７】
また、ＰＨＳ以外のＰＤＣ（Ｐｅｒｓｏｎａｌ  ｄｉｇｉｔａｌ  ｃｅｌｌｕｌａｒ）やＮＴＴドコモ社のＦＯＭＡ（Ｆｒｅｅｄｏｍ  ｏｆ  Ｍｏｂｉｌｅ  Ｍｕｌｔｉｍｅｄｉａ  Ａｃｃｅｓｓ）などの携帯端末や、ＧＳＭ（Ｇｌｏｂａｌ  Ｓｙｓｙｔｅｍ  ｆｏｒ  Ｍｏｂｉｌｅ  Ｃｏｍｍｕｎｉｃａｔｉｏｎ）やＣＤＭＡ（Ｃｏｄｅ  ｄｉｖｉｓｉｏｎ  ｍｕｌｔｉｐｌｅ  ａｃｃｅｓｓ）など携帯電話一般においてもセル情報を利用することにより位置情報を取得することが可能である。
【００３８】
図５は、広告サーバ１０２の構成例を示すブロック図である。広告サーバ１０２は、制御手段５０１と、端末情報取得手段５０２と、広告提供手段５０３と、広告情報テーブル５０４と、最適広告探索手段５０５と、プログラム格納手段５０６とを含んで構成されている。
【００３９】
制御手段５０１は、プログラム格納手段５０６に格納されたプログラムにしたがって各部を制御する。端末情報取得手段５０２は、仲介サーバ１０１より端末の位置データや保有者情報を取得する。広告提供手段５０３は、端末情報取得手段５０２より取得した情報を用いて、最適広告探索手段５０５で選択された広告情報を仲介サーバ１０１に送信する。最適広告探索手段５０５は、各端末に送信すべき最適な広告を広告情報テーブル５０４から探索する。
【００４０】
広告情報テーブルは、例えば図１７に示すデータ形式で保持されており、「広告主」や「広告情報」の他に、端末がどの位置にあれば該当する広告を提供するかを示す「位置データ」と、該当する広告を送信するための条件である「広告送信条件」、各広告主に対する「課金情報」などを含む。
【００４１】
例えば、「居酒屋ＹＹ」の広告については、端末の位置データがＣ５であり、かつ、保有者の年齢が２０歳以上の場合にのみ選択的に送信される。また、「ＺＺスポーツ」については、位置データがＣ５であり、かつ、端末保有者の趣味に「スポーツ」が含まれている場合にのみ選択的に送信される。
【００４２】
図６は、課金サーバ１０３の構成例を示すブロック図である。図６に示すように、課金サーバ１０３は、制御手段６０１と、端末情報取得手段６０２と、課金情報テーブル６０３と、課金手段６０４と、プログラム格納手段６０５とを含んで構成される。
【００４３】
制御手段６０１は、プログラム格納手段６０５に格納されたプログラムにしたがって各部を制御する。端末情報取得手段６０２は、課金対象となっている携帯端末の識別番号（ＩＤ）やポイント情報などを、仲介サーバ１０１より取得する。課金手段６０４は、携帯端末が保持するポイント値に基づき、携帯端末のユーザに対する課金額を算出し、課金情報テーブル６０３から取得した端末保有者（ユーザ）の口座番号やクレジットカード番号に基づいて課金処理を行う。
【００４４】
次に、本発明の第１の実施形態による情報提供サービスの処理について図面を参照して説明する。図７は、本発明の第１の実施の形態による情報提供サービスの対象となる携帯端末の正面図である。図８は、本発明の第１の実施形態による情報提供サービスにおける情報要求端末１０５と情報提供端末１０４との表示画面例を情報提供サービスの流れに沿って示した図であり、図１９は、本発明の第１の実施形態における処理の流れを示すフローチャート図である。適宜図１から図５までをも参照して説明する。
【００４５】
まず、情報提供端末１０４は、仲介サーバ１０１にアクセスして、端末の登録操作を行う。図７に示すように、携帯端末７００は、液晶表示画面７０１と、操作部７２１と通信用のアンテナ７３１とを有している。
【００４６】
液晶表示画面７０１は、例えば、ユーザ登録されたメールアドレスを表示する領域７０２と、使用端末名を表示する領域７０３と、性別を表示する領域７０４と、年齢を表示する領域７０５と、ユーザの趣味（嗜好）を選択的に表示する領域７０６と、登録選択領域７０７とを有している。
【００４７】
操作部７２１は、携帯端末７００をオン／オフさせる電源ボタン７２２／７２３と、文字や数字を入力するための入力用ボタン７２４と、画面表示などの切り替えや選択を簡単に行いことができる選択ボタン７２５とを有している。
【００４８】
情報提供端末使用者は、自己の携帯端末のメールアドレス、使用端末、性別、年齢、趣味などのうち少なくともいずれかの情報を入力し、最後に登録ボタンを押すと、各入力内容はネットワーク１０６を介して、仲介サーバ１０１に送られる（ステップ１９０１）。
【００４９】
仲介サーバ１０１では端末情報取得手段２０４により、メールアドレス、性別、年齢、趣味等の情報を取得し、端末情報テーブルアクセス手段２１０により端末情報テーブル２１２に新規登録する。この際、使用端末名に基づいて、入力性能データ、表示性能データも取得し、端末情報テーブル２１２に登録する。評価ポイントの項目については初期設定を行う。（ステップ１９０２）。
【００５０】
次いで、情報提供端末１０４は、位置データ取得手段４０５により取得した位置データを仲介サーバ１０１に送信する（ステップ１９０３）。仲介サーバ１０１では新たに更新された位置データをもとに、端末情報テーブルアクセス手段２１０により、端末情報テーブル２１２の位置データの項を更新する（ステップ１９０４）。
【００５１】
情報要求端末１０５は、図８に示す情報要求画面８０１より、地域指定データ（どの場所について知りたいか）及び情報指定データ（何について知りたいか）を入力する（ステップ１９０５）。例えば表示画面８０１では、「観覧車」を対象として、その「混雑度」と「感想」とに関する情報要求を行っている例である。「観覧車」が地域指定データであり、「混雑度」及び「感想」が情報指定データである。この場合には、予め想定された内容から情報指定データが選択されているが、「その他」を選択することにより、例えば「営業時間が知りたい」等のように、直接情報指定データを入力してもよい。また、添付情報の欄の「画像」をチェックすることにより、さらに、写真等の画像つきの情報を要求することもできる。
【００５２】
以上のステップにより入力された情報要求は、ネットワーク１０６を介して仲介サーバ１０１に送信される。仲介サーバ１０１では、過去情報検索手段２１３を用いて過去に同様の情報要求があるかどうかを検索し（ステップ１９０７）、一定時間以内、例えば情報の更新が不要であるほど短い時間内に同様の情報要求があった場合は、その際の提供情報を取得する。
【００５３】
一方、一定時間以内に同様の情報要求がない場合は、「地域指定データ」をもとに、情報提供端末探索手段２０９により、適切な情報提供端末を探索する。そして情報提供依頼手段２０７により、情報提供依頼メールを送信する（ステップ１９０８）。
【００５４】
かかる情報提供依頼メールを受信した情報提供端末側では、依頼内容を表示画面８０２のように表示される（ステップ１９１０）。これを受けた情報提供端末の使用者は、表示画面８０３に示すように、カメラ４０６を用いて撮影した画像を添付した情報提供メールを作成し、仲介サーバ１０１に対し送信する（ステップ１９１１）。提供情報受信手段２０３により、提供情報を受信した仲介サーバ１０１では、複数の提供情報を１つのメールにまとめるなどの編集処理を行い（ステップ１９１２）、編集されたメールを情報提供手段２０６により、情報要求端末１０５に送信する（ステップ１９１３）。
【００５５】
尚、本実施形態においては、情報提供者から情報提供があった場合を想定しているが、一定時間経過後に情報提供がない場合には、仲介サーバ１０１は情報要求端末１０５に対し、「情報提供が得られなかった」旨を送信する。
【００５６】
また、情報要求端末１０５に情報提供を送信する際に、情報変換手段２１６が情報要求端末１０５の表示性能データに基づき、データ形式の変換を行うようにしても良い。例えば、情報要求端末１０５がモノクロ表示機能のみを有している場合であって、情報提供端末１０４側からカラー画像が送信された場合には、仲介サーバ１０１が受信したカラー画像をモノクロ画像に変換し、情報要求端末１０５に送信することもできる。このようにすると、そのままでは表示できないデータを情報要求端末１０５側で表示させることができる。また、モノクロ形式への変換のようにデータの間引きを予め行うことにより、転送データ量を小さくできるという利点もある。
【００５７】
情報要求端末１０５は、提供情報メールを受信すると（ステップ１９１４）、表示画面８０４に示すような画面が表示される。これに対して、情報要求端末１０５の使用者は、表示画面８０５に示すように提供情報に対する評価点を入力し、仲介サーバ１０１に対して送信する（ステップ１９１５）。
【００５８】
評価データ受信手段２０５により評価データを受信した仲介サーバ１０１は、端末情報テーブルアクセス手段２１０により、評価点に応じたポイントを端末情報テーブル２１２のポイントの項に加える（ステップ１９１６，１９１７）。例えば、図１２に示す端末情報テーブル２１２のうち、ＩＤ＝１とＩＤ＝６との携帯端末から情報提供があり、評価ポイントがそれぞれ５ポイントと１０ポイントとである場合に、端末情報テーブル２１２のポイントの項は、図１３に示すように５ポイントと１０ポイントとが新たに加算された値となる。また、評価の項は、例えば提供された情報の内容などの評価に基づき増減されるようになっており、今回の情報提供によって、ＩＤ＝１の携帯端末についてはポイントがダウンし、ＩＤ＝６の携帯端末については、ポイントがアップしている。
【００５９】
尚、本実施形態による情報提供サービスでは、評価点に応じたポイントの取得が行われる場合を例にして説明したが、評価点にかかわらず一律のポイントが加えられるようにしても良い。
【００６０】
情報要求端末１０５では、今回の評価ポイントの合計値、１５ポイントを使用したものとして、端末情報テーブルのポイントの項より、１５ポイントを差し引く。例えば、図１２のＩＤ＝４の携帯端末が情報を要求していた場合に、ポイント値は図１３に示すように１５ポイントが差し引かれる。この例では、情報要求端末１０５から入力された評価値に従って使用ポイントが計算されるものとしているが、例えば、「１回の情報要求に対して２０ポイント」のように一律の値を規定しておいても良い。ポイントは情報要求を行う際に差し引かれ、情報提供を行う際には加えられる。
【００６１】
月末など特定時点において、仲介サーバ１０１は課金サーバに対し各携帯端末に関する情報を送信する。課金サーバ１０３では、受け取ったポイント値が負の値であれば、課金情報テーブル６０３から取得した口座番号やクレジットカード番号を元に課金処理を行う。一方ポイント値が正の値であれば、キャッシュバック処理を行う。その後にポイント値を０にクリア（リセット）する。
【００６２】
尚、地域指定データの内容によって、情報要求時に必要となるポイントを変更するようにしてもよい。例えば、○○遊園地がスポンサーとなれば、○○遊園地内に関する情報要求を行った際には、無料又は格安での情報提供が可能となる。
一方、○○遊園地側としては、入園者に無料又は格安での情報提供サービスを実施できる上に、専用のシステムを構築するための新規コストを必要としないという利点がある。
【００６３】
次いで、仲介サーバ１０１は、情報要求端末１０５および情報提供端末１０４のそれぞれに対して、使用ポイント、取得ポイントに関する情報を送信し、それぞれの携帯端末では、図８に示す表示画面８０６，８０７が表示される。また、過去情報記憶手段２１４により、今回の情報要求、情報提供内容を過去情報テーブルに記憶する（ステップ１９１７〜１９２０）。
【００６４】
過去情報テーブル２１５は、過去と同様の情報提供要求があった場合に情報提供端末１０４に対して同様の依頼が繰り返し行われるのを抑制するために設けられている。また、情報要求端末１０５から時期が指定された際に、指定時期の過去情報テーブルから取得した内容を提供情報として送信するようにしてもよい。例えば、明日開催される花火大会の混雑度に関する情報のように予め知りたい情報の場合に、現在の情報よりは、むしろ昨年度の履歴情報をもとにした情報提供を受ける方が、予め今年の混雑度について予想する場合には有効である。
【００６５】
この他、過去情報テーブル２１５に記録されている地域指定データと、情報指定データと、提供された情報とには、ユーザが行きたい場所や知りたいこと、また情報提供者の感想などが含まれており、ユーザの承認があれば、これらの過去情報テーブルに記録された情報を統計的に処理することによりマーケティングに有用な統計情報を得ることも可能である。
尚、過去情報テーブル２１５は、情報要求者毎に作成してもよい。これにより、情報要求を行う際に、過去の情報要求パターンをもとに入力を行うことが可能となり、使用者の利便性を向上させる効果もある。
【００６６】
図２０は、情報提供端末１０４が仲介サーバ１０１に対し、端末情報を送信する処理の流れを示すフローチャート図である。まず、情報提供端末１０４では、例えばタイマなどにより一定時間を計測し、位置データ取得手段４０５より取得した位置データおよび携帯端末を特定するための端末固有データを仲介サーバ１０１に対して送信する（ステップ２００１，２００２）。
【００６７】
仲介サーバ１０１は、端末情報テーブルアクセス手段２１０により、取得した情報提供端末の位置データを更新する（ステップ２００３，２００４）。これにより、情報提供端末１０４の位置データは、例えば一定時間ごとに更新され、端末情報テーブル２１２には最新の位置データが登録される。本実施の形態では、一定時間毎に位置データの送信を行う処理について説明しているが、その他、情報提供端末１０４の位置データが変化した場合にのみ、位置データの送信を行うように構成しても良い。同一の場所に留まっている間は、位置データの送信を行う必要がないため、無駄な送受信処理を省略することができる。
【００６８】
情報提供端末１０４側のユーザが位置データ送信に関する操作を行った場合にのみ、位置データの送信を行うようにしてもよい。このようにすれば、情報提供端末保有者の意志に反して現在位置を知られるおそれが無くなり、プライバシーに配慮することが可能となる。
【００６９】
一方、情報提供端末１０４は、入力手段４０４により情報提供を拒否する旨の入力がされた場合に、端末固有データとともに情報提供拒否情報を仲介サーバ１０１に対して送信する（ステップ２００５，２００６）。端末情報取得手段２０４により、拒否情報を受信した仲介サーバ１０１は、端末情報テーブルアクセス手段２１０により、対応可否の項を更新する（ステップ２００９，２０１０）。これにより、情報提供端末保有者に所用がある場合など情報提供ができない事情がある場合には、情報提供依頼を受けないようにすることで情報提供端末保有者の煩わしさを軽減することができる。
【００７０】
また、ステップ２００７では情報提供端末１０４の電池残量がある閾値以下となった場合に、自動的に情報提供拒否情報を送信する例を示した。電池残量が少ない場合には、情報提供端末１０４が使用できなくなる可能性があり、仲介サーバ１０１による情報提供依頼のための送信を行わないようにすることができる。このようにすれば、情報提供端末１０４の有する電池の充電が完了した後、既に期限切れとなった情報提供依頼を受け取る不都合を防ぐことができる。
【００７１】
図２１は、情報提供依頼送信ステップにおける仲介サーバ１０１内の情報提供端末探索手段２０９の動作を示すフローチャート図である。図１２に示す端末情報テーブルと、図１５に示す地域管理テーブルとを使用し、図１２のＩＤ＝４で示される携帯端末より情報要求があった場合の処理を例にして説明する。情報要求内容は、図８の表示画面と同様である。
【００７２】
情報提供端末探索手段２０９は、まず情報要求取得手段２０２から得られた地域指定データと地域管理テーブル２１１から位置データを取得する（ステップ２１０１）。図８に示す表示例のように「観覧車」が指定された場合、地域管理テーブル２１１より、位置データはＥ１０となる。次に端末情報テーブルアクセス手段２１０により得られる各端末の位置データがステップ２１０１で取得した位置データに一致するかどうかを判定する（ステップ２１０４）。図１２の端末情報テーブルでは、位置データがＥ１０となっているＩＤ＝１，２，５及び６の携帯端末が選択される。次に各携帯端末について、情報要求端末１０５から指定された入力性能を有するかどうかを判定する（ステップ２１０５）。図７に示す表示画面の例では、情報要求側が静止画像情報を要求しており、入力性能として静止画機能を持つ端末だけが選択される結果、ＩＤ＝５の携帯端末が候補から除外される。尚、情報要求側からの指定ではなく、端末情報テーブル中の表示性能データに基づいた判定を行っても良い。
【００７３】
例えば、各携帯端末のうち入力性能が高いものを優先的に選択してもよい。例えば、カメラ機能を具備することにより、有用な情報提供が期待できる端末が優先的に選ばれる。
尚、カメラ機能を有するような入力性能が高い端末が優先的に選択されると、情報提供依頼が一部の高性能な端末に集中してしまう可能性がある。そこで、情報要求端末１０５が有する表示性能内で入力性能の低い端末から順に優先的に選択するようにしてもよい。このようにすれば、情報要求端末１０５側から要求された情報表示性能が高いと選択されない可能性がある入力性能の低い端末が情報提供端末中から優先的に選ばれていくため、各情報提供端末に対する情報提供依頼が均一化されるという利点がある。
【００７４】
ステップ２１０６において、情報提供端末保有者の保有者情報が情報要求端末１０５からの指定を満たしているかどうかが判定される。女性だけに情報要求したい場合や、年齢や趣味の指定がある場合は、各条件が満たされているかどうかが判定される。これにより、自分と同年代である情報提供者や、同様の趣味/嗜好を有する情報提供者へ情報提供依頼を優先的に行うことができ、特に「感想」のように主観的な要素が強い情報について、より有用な情報が期待できる。
【００７５】
ステップ２１０７では、各情報提供端末１０４に対して評価ポイントが一定値以上あるか否かが判定される。閾値が５である場合を例にとると、選択されたＩＤ＝１、２及び６の携帯端末のうち、ＩＤ＝２の端末は条件を満たさないので除外される。このように、評価値が低い情報提供端末１０４に対しては、情報提供依頼が送信されないようにすることにより、より信頼性の高い情報提供が期待できる。
【００７６】
ステップ２１０８では、各携帯端末が、現在、情報提供可能かどうかが判定される。図１２に示す例では、ＩＤ＝１とＩＤ＝６とは、共に情報提供可能であり、条件を満たしている。
以上の全ての条件を満たした端末であるＩＤ＝１及びＩＤ＝６の携帯端末（のメールアドレス）に対して、情報提供依頼メールが送信される。
【００７７】
尚、以上の条件を全て満たす携帯端末が存在しない場合は、情報要求端末１０５に対して、「情報提供できる端末が存在しない」旨を送信する（ステップ２１１２）。
【００７８】
また、本実施形態による情報提供サービスでは、全ての条件が満たされた情報提供端末に対してのみ情報提供依頼を送信しているが、一部の条件が満たされれば情報提供依頼が送信されるようにしても設定してもよいし、条件を満たす端末数によって条件を緩くしてもよい。
【００７９】
例えば、情報要求端末１０５から「静止画像」情報ありでの要求があった場合でも、静止画入力機能を持つ情報提供端末数が少ない場合は、当該機能を持たない端末に対しても情報提供依頼を行うようにしても良い。また、位置データが一致する端末が存在しないか、もしくは端末数が少ない場合に、位置データによる検索対象を隣接するエリアにまで広げたり、また評価点の閾値を低くしたりしてもよい。これにより、情報要求側に何らかの情報を提供できる可能性が高くなる。
【００８０】
尚、図１５に示すように、地域管理テーブル２１１としては地域や施設名と位置データとの関連を示すテーブルの他に、図１６に示すように、キーワードと位置データとの関連を示すテーブルを用いて検索を行っても良い。図１６に示すテーブルを用いると、例えば「ジャイアンツ戦の経過が知りたい」というような指定があった場合でも、「ジャイアンツ」というキーワードから試合が行われている「ＸＸ球場」の位置データを取得でき、「ＸＸ球場」付近にある携帯端末に対して情報提供依頼を行うことができる。
【００８１】
同様に、「○○遊園地」と指定しなくとも、「○○パレードについて知りたい」と指定することで、「○○パレード」が実施されている「○○遊園地」の位置データを取得でき、「○○遊園地」付近にある端末へ情報提供依頼を行うことが可能となる。これにより、入力操作が比較的難しい携帯端末において、情報要求側の入力を可能な限り省くことができ、利便性を向上することができる。
本実施の形態の応用例について、図２５（ａ）から図２５（ｃ）までを参照して説明する。
【００８２】
図２に示す端末情報テーブル２１２の内容は、例えば図１２から図１４までに示すような携帯端末ＩＤと対応させて、携帯端末の位置データ、携帯端末の性能やユーザの嗜好テーブルを記憶させたテーブルである。仲介サーバ１０１は、これら図１２から図１４までのテーブルと、図１５及び図１６に示すようなキーワードと位置データとを対応させたテーブルとに基づいて、適切な情報を提供できる端末を検索し、情報提供要求を行う。
【００８３】
本応用例による情報提供サービスでは、仲介サーバ１０１が、多数の携帯端末群の端末情報であって、特定の基準により予めグループ分けされた端末情報を格納する端末情報データベースを有している。
【００８４】
携帯端末群中から、位置を含む対象エリア内に存在する携帯端末を検索する際には、まず、携帯端末のユーザの嗜好又はユーザの行動履歴などの類似する携帯端末毎に予めグループ分けを行う。
【００８５】
仲介サーバ１０１は、情報要求端末が要求する情報の内容とグループ分けされた端末情報とを照合して内容の近いグループ分けされた端末情報を有する携帯端末をピックアップする。
【００８６】
図２５（ａ）は、検索対象エリアＡｒを、例えば４つの領域Ａｒ１からＡｒ４までに分割し、それぞれのエリア内に存在する携帯端末の位置をＰ１−１からＰ１−６まで、Ｐ２−１からＰ２−５まで、Ｐ３−１からＰ３−７まで、Ｐ４−１からＰ４−８までで示している。実際にはさらに多数の携帯端末が存在している場合が多い。
【００８７】
検索対象エリアＡｒ内に、野球場とサッカー場とが近接して存在しているとする。このような場合に、ユーザの嗜好がスポーツである携帯端末を１つのグループとして予めグループ化しておく。この場合には、符号に下線が付されている携帯端末を１グループとする。
このようにすれば、情報要求端末からスポーツ観戦に関する情報提供要求があった場合には、このグループのみを検索すれば良いため、検索が迅速・確実かつ容易になる。
【００８８】
さらに、嗜好にスポーツを有するユーザを、特に野球を嗜好するグループ（図２５（ｂ）に示される携帯端末）と、特にサッカーを嗜好するグループ（図２５（ｃ）に示される携帯端末）に予めグループ分けしておけば、検索をより迅速かつ確実に行うことができる。尚、上記グループ化の技術は、以下の実施の形態にも応用可能である。
【００８９】
次に本発明の第２の実施形態による情報提供サービスについて図面を参照しながら説明する。図９は、本実施の形態による情報提供サービスにおける情報要求端末１０５と情報提供端末１０４との表示画面の遷移図であり、図２２は、その際の情報要求端末１０５と、情報提供端末１０４と、仲介サーバ１０１との動作を示すフローチャート図である。適宜図１から図５までを参照して説明する。
【００９０】
尚、本実施の形態による情報提供サービスは、情報提供端末１０４から端末情報を入力する処理、位置データを送信する処理（図２２の２２０１から２２０４まで）に関しては、第１の実施の形態による情報提供サービスと同様である。また、情報要求端末側が地域指定データと情報指定データとを入力し、情報要求を行う処理（図２２の２２０５から２２０６まで）に関しても同様である。
但し、本実施の形態による情報提供サービスにおいては、情報要求端末側から自己の携帯端末の端末固有データを公開するか否かを選択できるようになっている点が異なる。
【００９１】
表示画面９０１では、メールアドレス公開を「Ｙｅｓ」と指定した上で仲介サーバ１０１に対する情報要求を行っている。一方、仲介サーバ１０１は、情報要求を受けると、第１の実施形態による情報提供サービスの場合と同様に、情報提供端末探索手段２０９により選択された情報提供端末１０４に対し情報提供依頼を送信する。
【００９２】
この際、地域指定データ及び情報指定データの他に、情報要求端末１０５の端末固有データとしてメールアドレスも送信する（ステップ２２０７）。表示画面９０２は、情報提供端末が受信する情報提供依頼であり、情報要求端末のメールアドレス情報である「xxx@xxx.co.jp」が含まれている。
【００９３】
情報提供端末のユーザは、受信したこのメールアドレスを使用して、表示画面９０３から表示画面９０６までのように仲介サーバ１０１を通さずに、直接情報要求端末とやりとりを行うことができる（図２２のステップ２２０９，２２１０）。このように情報を携帯端末同士で直接授受することが可能になると、提供された情報についてさらに問い合わせを行うことができるなど、情報のやりとりをより柔軟に行うことが可能となる。
【００９４】
一方、ユーザが、メールアドレスの公開を選択しなければ（非公開を選択したことになる）、仲介サーバ１０１を介しての情報のやりとりとなり（第１の実施の形態において説明したやり取りである。）、メールアドレス等のプライバシー情報を出さないようにすることができる。どちらを選択するかに関して、情報要求端末側において指定できるため、自分の好みに合致した情報提供方法を選択できる利点がある。
【００９５】
次に、本発明の第３の実施形態による情報提供サービスについて図面を参照して説明する。図１０は、本発明の第３の実施形態による情報提供サービスにおける携帯端末の表示画面の遷移図であり、図２３は、本発明の第３の実施の形態による情報提供サービスにおける、情報要求端末１０５と、仲介サーバ１０１と、情報提供端末１０４との動作を示したフローチャートである。適宜、図１から図５までをも参照して説明する。
【００９６】
本実施の形態による情報提供サービスにおいても、情報提供端末１０４から端末情報を入力する処理及び位置データを送信し仲介サーバが受信し、テーブルを更新するまでの処理（図２３のステップ２３０１からステップ２３０４まで）は、第１及び第２の実施の形態による情報提供サービスと同様である。また、情報要求端末１０５が地域指定データと情報指定データとを入力し、仲介サーバ１０１に対して情報要求を行い仲介サーバ１０１が受信する処理（ステップ２３０５及びステップ２３０６）も同様である。
【００９７】
次いで、仲介サーバ１０１は、情報提供端末探索手段２０９により選択された情報提供端末１０４−１，１０４−２に対して、情報提供可能かどうかの確認メールを送信する（図１０の表示画面１００２、図２３のステップ２３０７）。確認メールを受信、表示した情報提供端末１０４側では、情報提供可能であれば、仲介サーバ１０１に対し、応答メールを返信する（図１０の表示画面１００３、図２３のステップ２３０８から２３１０まで）。
【００９８】
この際、情報提供端末１０４のユーザは、さらに何らかのコメントを追加して送信しても良い。仲介サーバ１０１が情報提供可能な旨の応答を受信すると、情報提供可能端末のリストを作成し、情報要求端末１０５に送信する（図２３のステップ２３１１）。情報提供可能者リストは図１０の表示画面１００４に示すように、情報提供端末のメールアドレスに加えて、例えば、情報提供端末ユーザのユーザ情報や情報提供端末ユーザのコメントなどが含まれている。情報提供可能端末リストを受信した情報要求端末１０５側では（図２３のステップ２３１２、２３１３）、直接に問い合わせを行いたい情報提供端末１０４を選び、図１０の表示画面１００５から１００８までに示すように、ユーザ同士が直接に情報の送受信（やり取り）を行う（図２３のステップ２３１４）。
【００９９】
以上のように、本実施の形態による情報提供サービスにおいても、第２の実施の形態と同様に柔軟な情報のやり取りを行うことが可能となる。また、第２の実施形態では、情報要求端末１０５の端末固有データは選択された全ての情報提供端末１０４に対して公開されたが、本実施の形態による情報提供サービスの場合には、自らが選択した情報要求端末１０５に対してのみ公開すれば足りる。また、情報提供端末１０４側にとっても、端末固有データの公開は情報要求端末１０５のみで足り、プライバシー情報の公開を最小限に抑えることができるという利点もある。
【０１００】
次に、本発明の第４の実施の形態による情報提供サービスについて図面を参照して説明する。本実施の形態による情報提供サービスにおいては、情報要求端末１０５および情報提供端末１０４に対し、効率的な広告の送信を行う。
【０１０１】
図１１は本実施の形態による情報要求端末１０５と情報提供端末１０４とのやり取りを表示画面の遷移図として示した図であり、情報提供端末への情報提供依頼メールおよび情報要求端末への提供情報メール内に広告情報が付加されている。
【０１０２】
図２４は、広告情報を送信する場合の広告サーバ１０２の動作を示したフローチャートである。
広告サーバ１０２は、仲介サーバ１０１より情報提供端末１０４及び情報要求端末１０５に関する端末情報を受け取る。そして、まず、情報要求端末１０５の指定した地域指定データから得られた位置データをキーとして用い、該当する広告情報が存在するかどうか探索する（図２４のステップ２４０１）。広告情報が存在する場合、次いで、端末の保有者情報等から広告送信条件を満たしているかどうかを判定する（ステップ２４０２）。広告送信条件を満たしている場合には、仲介サーバ１０１に対して広告情報を送信する（ステップ２４０３）。加えて、送信する広告に対する課金情報データを更新する（ステップ２４０４）。広告情報を受信した仲介サーバ１０１では、受信した広告情報を情報要求端末１０５及び情報提供端末１０４のうち少なくとも一方（特に上記広告送信条件に合致した方、又はより近い方の端末）に対し送信するとともに、それぞれの端末に対して広告受信に基づくポイントを加算する（ステップ２４０５）。
【０１０３】
図１１は、図１２におけるＩＤ＝４の携帯端末から情報要求があり、ＩＤ＝３の携帯端末に情報提供依頼が送信された際の処理を表示画面の遷移図として示した図である。ＩＤ＝４は、地域指定データとして「ＸＸ球場」を指定しているため、図１５の地域管理テーブル２１１を用いて、位置データＣ５に対応する広告情報が探索され、「居酒屋ＹＹ」と、「レストランＸＸ」と、「ＺＺスポーツ」とが送信される広告情報の候補となる。この際、情報提供依頼は位置データがＣ５であるＩＤ＝３の携帯端末とＩＤ＝８の携帯端末とになされるが、ＩＤ＝３の携帯端末については、趣味にスポーツが含まれていないため、「ＺＺスポーツ」の条件を満たさないと判断される。ＩＤ＝８の携帯端末については、年齢が「居酒屋ＹＹ」の条件（２０歳以上）を満たさないため、候補から外される。従って、ＩＤ＝３の携帯端末に対しては、「居酒屋ＹＹ」及び「レストランＸＸ」の広告を送信することができ、ＩＤ＝８の携帯端末に関しては、「レストランＸＸ」及び「ＺＺスポーツ」の広告を送信することができる。
【０１０４】
また、ＩＤ＝４の携帯端末に関しては、趣味にスポーツが含まれないため、「ＺＺスポーツ」の広告は送信されず、「居酒屋ＹＹ」及び「レストランＸＸ」の広告が送信される。また、各端末に対し、広告送信ポイントとして５ポイントが与えられた結果、端末情報テーブルは図１４に示すようになる（ポイントが更新された箇所を太字で記載している）。
【０１０５】
尚、上記の例では、条件を満たした広告をすべて送信したが、条件を満たすものの一部を選択して送信するように設定することもできる。
【０１０６】
情報要求端末１０５からの地域指定データに基づく広告を送信することにより、これから訪れようとしている地域又は興味をもっている地域に関する広告を送信することが可能になり、広告効果を高めることができる。同時に、情報提供端末１０４側も、現在位置を含むエリアに関連する広告を受信することになり、効果の高い広告を送信することができる。もちろん、情報要求端末１０５に対しても現在の位置データをもとに広告情報の探索を行うようにしてもよい。また、予め登録しておいた趣味情報や年齢情報に基づいた広告の選択を行うことによって、広告主にとって有効性の高い広告の送信を行うことができる。
以上、実施の形態に沿って本発明を説明したが、本発明はこれらに制限されるものではない。その他、種々の変更、改良、組み合わせが可能なことは当業者に自明であろう。
【０１０７】
尚、本願明細書中には以下の開示を含む。
（１）ネットワークに接続された１以上の携帯端末と、前記ネットワークに接続され前記携帯端末と通信可能な仲介サーバと、から構成された情報提供システムにおいて、第１の携帯端末は、指定データとして少なくとも、使用者が要求する情報内容を特定する情報指定データと、前記情報内容を得たい地域を特定する地域指定データと、自端末を特定する端末固有データと、を前記仲介サーバに送信する指定データ送信手段と、受信した情報を表示する表示手段と、を有し、第２の携帯端末は、自端末の位置データを取得する位置データ取得手段と、登録データとして少なくとも、前記位置データと、自端末を特定する端末固有データと、を前記仲介サーバに送信する登録データ送信手段と、情報入力手段と、前記仲介サーバに提供情報を送信する情報送信手段と、を有し、前記仲介サーバは、前記第１の携帯端末からの前記地域指定データ及び１以上の前記第２の携帯端末からの前記位置データから、前記地域指定データで指定された地域を含む前以て設定された範囲内に位置する前記第２の携帯端末を探す情報提供端末探索手段と、前記情報提供端末探索手段で抽出された１以上の前記第２の携帯端末へ情報提供依頼データを送信する情報提供依頼手段と、１以上の前記第２の携帯端末から提供情報を受信する提供情報受信手段と、前記提供情報を前記第１の携帯端末へ送信する情報提供手段と、を有することを特徴とする情報提供システム。
【０１０８】
（２）上記（１）において、前記第２の携帯端末の前記登録データ送信手段は、前以て設定された時間周期で前記登録データを送信することを特徴とする情報提供システム。
（３）上記（１）において、前記第２の携帯端末の前記登録データ送信手段は、送信された前記位置データを記憶する手段と、取得した前記位置データと前記記憶されている最新の位置データを比較する手段と、をさらに有し、取得した前記位置データと前記記憶されている最新の位置データが前以て設定された範囲以上となった際に前記登録データを送信することを特徴とする情報提供システム。
【０１０９】
（４）上記（１）において、前記第２の携帯端末は、前記登録データ送信を指示する操作手段をさらに有し、前記第２の携帯端末の前記登録データ送信手段は、前記操作手段からの前記登録データ送信指示により前記登録データを送信する
ことを特徴とする情報提供システム。
【０１１０】
（５）上記（１）において、前記第１の携帯端末に有する前記指定データ送信手段は、前記指定データとして、前記第１の携帯端末の有する表示性能データをさらに含み、前記第２の携帯端末に有する前記登録データ送信手段は、前記登録データとして、前記第２の携帯端末の有する入力性能データをさらに含み、前記仲介サーバに有する前記情報提供端末探索手段は、前記第１の携帯端末からの前記表示性能データと１以上の前記第２の携帯端末からの前記入力性能データから、前記第１の携帯端末で表示可能な提供情報を得られる入力性能を有する前記第２の携帯端末を抽出する手段と、をさらに有することを特徴とする情報提供システム。
【０１１１】
（６）前記請求項１記載の情報提供システムにおいて、前記第１の携帯端末に有する前記指定データ送信手段は、前記指定データとして、前記第１の携帯端末の要求端末種別データをさらに含み、前記第２の携帯端末に有する前記登録データ送信手段は、前記登録データとして、前記第２の携帯端末の提供端末種別データをさらに含み、前記仲介サーバは、端末種別毎の表示性能データおよび／または入力性能データを記憶する手段と、前記要求端末種別データから前記表示性能データを抽出する手段と、前記提供端末種別データから前記入力性能データを抽出する手段とを有し、前記情報提供端末探索手段は、前記第１の携帯端末の前記表示性能データと１以上の前記第２の携帯端末の前記入力性能データから、前記第１の携帯端末で表示可能な提供情報を得られる入力性能を有する前記第２の携帯端末を抽出する手段と、をさらに有することを特徴とする情報提供システム。
【０１１２】
（７）上記（５）又は（６）において、前記仲介サーバに有する前記情報提供端末探索手段は、前記第１の携帯端末で表示可能な提供情報を得られる入力性能を有する前記第２の携帯端末を抽出する際に、前記第１の携帯端末の表示性能データから前以って設定された性能の高い順に前記第２の携帯端末の入力性能データを検索し、前記設定された性能の高い順に前記第２の携帯端末を抽出する手段と、
をさらに有することを特徴とする情報提供システム。
【０１１３】
（８）上記（５）において、前記第１の携帯端末は、利用者が希望する表示性能を示す表示性能データを生成する手段と、をさらに有し、前記第１の携帯端末に有する前記指定データ送信手段は、前記指定データとして、前記希望した表示性能データをさらに含み、前記仲介サーバに有する前記情報提供端末探索手段は、前記第１の携帯端末で表示可能な提供情報を得られる入力性能を有する前記第２の携帯端末を抽出する際に、前記第１の携帯端末からの前記希望した表示性能データから１以上の前記第２の携帯端末の入力性能データを検索し、前記希望した表示性能データに符合する前記第２の携帯端末を抽出する手段と、をさらに有することを特徴とする情報提供システム。
【０１１４】
（９）上記（８）において、前記仲介サーバに有する前記情報提供端末探索手段は、前記第１の携帯端末で表示可能な提供情報を得られる入力性能を有する前記第２の携帯端末を抽出する際に、前記第１の携帯端末からの前記希望した表示性能データから前記第２の携帯端末の入力性能データを検索し、前記希望した表示性能データに符合する前記第２の携帯端末を抽出できなかった場合に前以って設定された性能の高い順に前記第２の携帯端末の入力性能データを検索し、前記設定された性能の高い順に前記第２の携帯端末を抽出する手段と、をさらに有することを特徴とする情報提供システム。
【０１１５】
（１０）上記（８）において、前記仲介サーバは、提供情報を変換する情報変換手段を有し、前記情報提供端末探索手段にて抽出した前記第２の携帯端末から提供情報を受信し、前記受信した提供情報を前記第１の携帯端末から受信した前記希望した表示性能データに基づき前記情報変換手段にて変換し、前記情報提供手段にて前記変換した提供情報を前記第１の携帯端末へ送信することを特徴とする情報提供システム。
【０１１６】
（１１）上記（１）から（１０）までにおいて、前記情報提供端末探索手段は、前記地域指定データで指定された地域を含む周辺に前記第２の携帯端末が存在しない場合に前記地域指定データで指定された地域に隣接した地域を含む周辺に位置する前記第２の携帯端末を探すことを特徴とする情報提供システム。
【０１１７】
（１２）上記（１）において、前記第１の携帯端末に有する前記指定データ送信手段は、前記指定データとして、使用者が前記情報内容を得たい端末保有者の要求保有者情報を含む保有者指定データをさらに含み、前記第２の携帯端末に有する前記登録データ送信手段は、前記登録データとして、前記第２の携帯端末保有者の有する保有者情報を含む保有者データをさらに含み、前記仲介サーバに有する前記情報提供端末探索手段は、前記第１の携帯端末からの前記要求保有者情報と前記第２の携帯端末からの前記保有者情報から、前記第１の携帯端末の使用者が希望する前記保有者情報を有する前記第２の携帯端末を抽出する手段と、をさらに有することを特徴とする情報提供システム。
【０１１８】
（１３）上記（１）において、前記仲介サーバは、１以上の携帯端末の前記保有者情報としてポイントを記憶する手段と、前記情報提供に応じて前記ポイントを加算する手段と、前記情報要求に応じて前記ポイントを減算する手段と、をさらに有することを特徴とする情報提供システム。
【０１１９】
（１４）上記（１３）において、前記仲介サーバの前記ポイントを加算および／または減算する手段は、前記端末の地域指定データで指定された地域に応じて、前以て設定された地域毎のポイントに応じて前記ポイントを加算および／または減算する手段と、をさらに有することを特徴とする情報提供システム。
（１５）上記（１）において、広告情報を記憶する広告サーバをさらに有し、
前記仲介サーバは、前記情報提供依頼手段にて前記第２の携帯端末へ情報提供依頼データを送信する際に前記広告サーバから前記広告情報を取得する手段と、前記取得した広告情報を前記第２の携帯端末へ送信する手段と、をさらに有することを特徴とする情報提供システム。
【０１２０】
（１６）上記（１５）において、前記仲介サーバの前記広告情報を取得する手段は、前記第２の携帯端末の前記位置データに応じて前以て設定した前記広告情報を選択取得する手段であることを特徴とする情報提供システム。
（１７）上記（１）において、広告情報を記憶する広告サーバをさらに有し、
前記仲介サーバは、前記提供情報を前記第１の携帯端末へ送信する情報提供手段と、前記情報提供手段にて前記第１の携帯端末へ前記提供情報を送信する際に前記広告サーバから前記広告情報を取得する手段と、前記取得した広告情報を前記第１の携帯端末へ送信する手段と、をさらに有することを特徴とする情報提供システム。
【０１２１】
（１８）上記（１７）において、前記仲介サーバの前記広告情報を取得する手段は、前記第１の携帯端末の前記指定データに有する前記位置データに応じて前以て設定した前記広告情報を選択取得する手段であることを特徴とする情報提供システム。
（１９）上記（１７）において、前記第１の携帯端末は、自端末の位置データを取得する位置データ取得手段と、をさらに有し、前記指定データとして前記位置データをさらに含んで前記仲介サーバに送信し、前記仲介サーバの前記広告情報を取得する手段は、前記第１の携帯端末の前記位置データに応じて前以て設定した前記広告情報を選択取得する手段であることを特徴とする情報提供システム。
【０１２２】
（２０）ネットワークに接続された一つ以上の携帯端末と、前記ネットワークに接続され前記携帯端末と通信可能な仲介サーバと、から構成された情報提供システムにおいて、第１の携帯端末は、指定データとして少なくとも、使用者が要求する情報内容を特定する情報指定データと、前記情報内容を得たい地域を特定する地域指定データと、自端末を特定する端末固有データと、を前記仲介サーバに送信する指定データ送信手段と、受信した情報を表示する表示手段と、を有し、第２の携帯端末は、自端末の位置データを取得する位置データ取得手段と、
登録データとして少なくとも、前記位置データと、自端末を特定する端末固有データと、を前記仲介サーバに送信する登録データ送信手段と、情報入力手段と、を有し、前記仲介サーバは、前記第１の携帯端末からの前記地域指定データ及び複数の前記第２の携帯端末からの前記位置データから、前記地域指定データで指定された地域を含む周辺に位置する前記第２の携帯端末を探す情報提供端末探索手段と、前記情報提供端末探索手段で抽出された一つ以上の前記第２の携帯端末へ情報提供依頼データを送信する情報提供依頼手段と、を有し、前記情報提供依頼手段は、前記情報提供依頼データとして前記第１の携帯端末の端末固有情報をさらに含んで前記第２の携帯端末に送信し、前記第２の携帯端末は、前記第１の携帯端末の端末固有情報で特定される前記第１の携帯端末に提供情報を送信する手段と、をさらに有することを特徴とする情報提供システム。
【０１２３】
（２１）ネットワークに接続された一つ以上の携帯端末と、前記ネットワークに接続され前記携帯端末と通信可能な仲介サーバと、から構成された情報提供システムにおいて、第１の携帯端末は、指定データとして少なくとも、使用者が要求する情報内容を特定する情報指定データと、前記情報内容を得たい地域を特定する地域指定データと、自端末を特定する端末固有データと、を前記仲介サーバに送信する指定データ送信手段と、受信した情報を表示する表示手段と、を有し、第２の携帯端末は、自端末の位置データを取得する位置データ取得手段と、登録データとして少なくとも、前記位置データと、自端末を特定する端末固有データと、を前記仲介サーバに送信する登録データ送信手段と、情報入力手段と、を有し、前記仲介サーバは、前記第１の携帯端末からの前記地域指定データ及び複数の前記第２の携帯端末からの前記位置データから、前記地域指定データで指定された地域を含む周辺に位置する前記第２の携帯端末を探す情報提供端末探索手段と、前記情報提供端末探索手段で抽出された１以上の前記第２の携帯端末へ情報提供の可否を確認する提供可否確認データを送信する情報提供依頼手段と、を有し、前記第２の携帯端末は、前記可否確認データへの応答として使用者の可否を示す可否応答データを前記仲介サーバに応答する手段と、をさらに有し、前記仲介サーバは、前記可否応答データにより情報提供可の応答を送信した前記第２の携帯端末の前記端末固有データを前記第１の携帯端末に送信する手段と、をさらに有し、前記第１の携帯端末は、前記送信されてきた前記端末固有データにより特定された前記第２の携帯端末に情報提供を依頼する情報提供依頼手段と、をさらに有し、前記第２の携帯端末は、前記第１の携帯端末に提供情報を送信する手段と、をさらに有することを特徴とする情報提供システム。
【０１２４】
（２２）上記（１）から（２１）までのいずれか１に記載の情報提供システムにおいて、前記第１の携帯端末は、前記提供情報に対する使用者の評価データを前記仲介サーバに送信する評価データ送信手段と、をさらに有し、前記仲介サーバは、前記評価データを受信する手段と、前記評価データを記憶する手段と、前記記憶されている評価データを集計する手段と、をさらに有し、前記仲介サーバの前記情報提供端末探索手段は、前記第２の携帯端末を探す際に前記集計された集計データより評価の高い順番に前記第２の携帯端末を抽出する手段と、をさらに有することを特徴とする情報提供システム。
【０１２５】
（２３）上記（２２）において、前記仲介サーバは、前記記憶されている評価データを集計する際に前記評価データに応じて前以て設定された前記ポイントを加算する手段と、をさらに有することを特徴とする情報提供システム。
（２４）上記（１９）から（２３）までのいずれか１に記載の情報提供システムにおいて、前記仲介サーバは、前記情報提供端末探索手段にて前記第２の携帯端末を探索できなかった際に、または、情報提供依頼した１以上の前記第２の携帯端末から、前以て設定した時間内に情報提供がないか、または、情報提供を拒否することを示す拒否データを受信し情報提供を得られなかった際に、前記第１の携帯端末に情報提供不能を示す不能データを送信する手段と、をさらに有し、前記第１の携帯端末は、前記不能データを受信すると情報提供端末が無いことを前記表示手段に表示することを特徴とする情報提供システム。
【０１２６】
（２５）上記（１）において、前記第２の携帯端末は、情報提供依頼を受けないことを示す依頼拒否データを前記仲介サーバに送信する手段と、をさらに有し、前記仲介サーバは、前記依頼拒否データを受信する手段と、前記拒否データを前記第２の携帯端末の前記端末固有情報とともに記憶する手段と、前記情報提供依頼手段は、前記情報提供端末探索手段にて抽出された前記第２の携帯端末の前記端末固有情報とともに記憶された前記依頼拒否データを検出する手段と、前記拒否データが検出された前記第２の携帯端末に前記情報提供依頼データを送信しない手段と、をさらに有することを特徴とする情報提供システム。
【０１２７】
（２６）上記（１）において、前記仲介サーバは、少なくとも、前記使用者が要求する情報内容を特定する情報指定データと、前記情報内容を得たい地域を特定する地域指定データと、１以上の前記第２の携帯端末から提供された提供情報と、を記憶する過去情報記憶手段をさらに有し、前記第１の携帯端末から前記指定データを受信した際に、前記過去情報記憶手段で記憶されている前記過去情報を検索する手段と、前記検索した結果前記過去情報内に前記指定データに含まれた前記情報指定データ及び前記地域指定データと該同一のデータが記憶されていた場合に前記第２の携帯端末の探索を行わず記憶されている前記提供情報を前記第１の携帯端末に送信する手段と、をさらに有することを特徴とする情報提供システム。
【０１２８】
（２７）ネットワークに接続された一つ以上の携帯端末と、前記ネットワークに接続され前記携帯端末と通信可能な仲介サーバと、から構成された情報提供システムにおいて、第１の携帯端末は、指定データとして少なくとも、使用者が要求する情報内容を特定する情報指定データと、自端末を特定する端末固有データと、を前記仲介サーバに送信する指定データ送信手段と、受信した情報を表示する表示手段と、を有し、第２の携帯端末は、自端末の位置データを取得する位置データ取得手段と、登録データとして少なくとも、前記位置データと、自端末を特定する端末固有データと、を前記仲介サーバに送信する登録データ送信手段と、情報入力手段と、前記仲介サーバに提供情報を送信する情報送信手段と、を有し、前記仲介サーバは、情報内容と地域を関連付けた地域管理テーブルを記憶する手段と、前記第１の携帯端末からの前記情報指定データにより前記地域管理テーブルを検索する手段と、前記情報指定データに関連した地域を地域指定データとして生成する手段と、前記地域指定データ及び複数の前記第２の携帯端末からの前記位置データから、前記地域指定データで指定された地域を含む周辺に位置する前記第２の携帯端末を探す情報提供端末探索手段と、前記情報提供端末探索手段で抽出された一つ以上の前記第２の携帯端末へ情報提供依頼データを送信する情報提供依頼手段と、一つ以上の前記第２の携帯端末から提供情報を受信する提供情報受信手段と、前記提供情報を前記第１の携帯端末へ送信する情報提供手段と、を有することを特徴とする情報提供システム。
【０１２９】
（２８）ネットワークに接続された一つ以上の携帯端末と、前記ネットワークに接続され前記携帯端末と通信可能な仲介サーバと、から構成され第１の携帯端末からの情報提供要求に基づいて情報提供可能な第２の携帯端末を探索し抽出した前記第２の携帯端末からの提供情報を前記第１の携帯端末に提供する情報提供サービスの方法であって、前記第１の端末から、要求する情報内容を指定する情報指定データと、前記情報内容を得たい地域を特定する地域指定データと、前記第１の端末を特定する要求端末固有データと、を受信するステップと、前記１以上の第２の携帯端末から、前記１以上の第２の端末の位置データと、前記１以上の第２の端末を特定する提供端末固有データと、を受信するステップと、前記地域指定データ及び前記位置データを比較するステップと、前記比較で一致した際に、一致した前記提供固有端末データから前記第２の携帯端末を特定するステップと、特定した前記１以上の第２の携帯端末へ情報提供依頼データを送信するステップと、前記１以上の第２の携帯端末から提供情報を受信するステップと、前記提供情報を前記第１の携帯端末へ送信するステップと、を有することを特徴とする情報提供サービスの方法。
【０１３０】
（２９）上記（２８）に記載の情報提供サービスをコンピュータに実行させるためのプログラムを記録したことを特徴とするコンピュータ読み取り可能な記録媒体。
（３０）上記（２８）記載の情報提供サービスをコンピュータに実行させるためのプログラム。
【０１３１】
【発明の効果】
以上のように、本発明の情報提供サービスによれば、情報要求端末側が必要とする情報を指定地域付近にいる一般の携帯端末使用者からリアルタイムで得ることができる。従来のように予め用意されていた情報を提供するのではなく、情報要求者が必要とする情報を指定できるため、情報要求に柔軟に対応できる。
【０１３２】
また、その地域にいる一般の端末使用者に対して情報提供依頼を行うので、情報提供サービスを実施していないような施設などでも情報提供を受けることができる。例えば事件や事故が起こった際に、その付近にいる端末使用者に対して、事件の様子や現場の写真を要求することも可能となる。
【０１３３】
また、一般の端末使用者が情報提供を行うため、施設の利用感想のような主観的な内容の情報も得ることが可能となる。施設側としても情報提供用の人員や設備を用意する必要がないため、低コストで情報提供ができる。
【図面の簡単な説明】
【図１】  本発明における実施形態による情報提供システムの構成を示すブロック図である。
【図２】  本発明の実施の第１から第４までの実施の形態による仲介サーバの構成を示すブロック図である。
【図３】  本発明の実施の第１から第４までの実施の形態による情報要求端末の構成を示すブロック図である。
【図４】  本発明の実施の第１から第４までの実施の形態による情報提供端末の構成を示すブロック図である。
【図５】  本発明の実施の第１から第４までの実施の形態による広告サーバの構成を示すブロック図である。
【図６】  本発明の実施の第１から第４までの実施の形態による課金サーバの構成を示すブロック図である。
【図７】  本発明の実施の第１から第４までの実施の形態による携帯端末の正面図である。
【図８】  本発明の実施の第１の実施の形態による情報提供サービスの流れを、携帯端末の表示画面の遷移図として示した図である。
【図９】  本発明の実施の第２の実施の形態による情報提供サービスの流れを、携帯端末の表示画面の遷移図として示した図である。
【図１０】  本発明の実施の第３の実施の形態による情報提供サービスの流れを、携帯端末の表示画面の遷移図として示した図である。
【図１１】  本発明の実施の第４の実施の形態による情報提供サービスの流れを、携帯端末の表示画面の遷移図として示した図である。
【図１２】  本発明の実施の形態による情報提供サービスに用いられる端末情報テーブルの内容例を示す図である。
【図１３】  図１２のデータ（ポイントと評価）を更新した後の端末情報テーブルの内容例を示す図である。
【図１４】  図１２のデータ（ポイント）を更新した後の端末情報テーブルの内容例を示す図である。
【図１５】  本発明の実施の形態による情報提供サービスに用いられる地域管理テーブルの内容例を示す図である。
【図１６】  本発明の実施の形態による情報提供サービスに用いられるキーワード情報テーブルの内容例を示す図である。
【図１７】  本発明の実施の形態による情報提供サービスに用いられる広告情報テーブルの内容例を示す図である。
【図１８】  本発明の実施の形態による情報提供サービスに用いられる過去情報テーブルの内容例を示す図である。
【図１９】  本発明の第１の実施の形態による情報提供サービスの流れを示すフローチャート図である。
【図２０】  本発明の第１の実施の形態による情報提供サービスの流れを示すフローチャート図であり、端末情報更新ステップでの動作を示すフローチャート図である。
【図２１】  本発明の第１の実施の形態による情報提供サービスの流れを示すフローチャート図であり、情報提供端末探索動作を示すフローチャート図である。
【図２２】  本発明の第２の実施の形態による情報提供サービスの流れを示すフローチャート図である。
【図２３】  本発明の第３の実施の形態による情報提供サービスの流れを示すフローチャート図である。
【図２４】  本発明の第４の実施の形態による情報提供サービスの流れを示すフローチャート図であり、広告送信動作を示すフローチャート図である。
【図２５】  図２５（ａ）から図２５（ｃ）までは、本発明の実施の形態による情報提供サービスにおけるグループ化の処理例を示す図である。
【符号の説明】
１０１…仲介サーバ、１０２…広告サーバ、１０３…課金サーバ、１０４…情報提供端末、１０５…情報要求端末、１０６…ネットワーク、１０７…無線基地局、２０１…制御手段、２０２…情報要求取得手段、２０３…提供情報受信手段、２０４…端末情報取得手段、２０５…評価データ受信手段、２０６…情報提供手段、２０７…情報提供依頼手段、２０８…広告情報送信手段、２０９…情報提供端末探索手段、２１０…端末情報テーブルアクセス手段、２１１…地域管理テーブル、２１２…端末情報テーブル、２１３…過去情報検索手段、２１４…過去情報記憶手段、２１５…過去情報テーブル、２１６…情報変換手段、２１７…広告情報取得手段、２１８…課金情報送信手段、２１９…プログラム格納手段、３０１…制御手段、３０２…プログラム格納手段、３０３…記憶手段、３０４…入力手段、３０５…データ受信手段、３０６…データ送信手段、３０７…表示手段、４０１…制御手段、４０２…プログラム格納手段、４０３…記憶手段、４０４…入力手段、４０５…位置データ取得手段、４０６…カメラ、４０７…データ受信手段、４０８…データ送信手段、４０９…表示手段、５０１…制御手段、５０２…端末情報取得手段、５０３…広告提供手段、５０４…広告情報テーブル、５０５…最適広告探索手段、５０６…プログラム格納手段、６０１…制御手段、６０２…端末情報取得手段、６０３…課金情報テーブル、６０４…課金手段、６０５…プログラム格納手段。
【図１】
0003950355.tif 000002
【図２】
0003950355.tif 000003
【図３】
0003950355.tif 000004
【図４】
0003950355.tif 000005
【図５】
0003950355.tif 000006
【図６】
0003950355.tif 000007
【図７】
0003950355.tif 000008
【図８】
0003950355.tif 000009
【図９】
0003950355.tif 000010
【図１０】
0003950355.tif 000011
【図１１】
0003950355.tif 000012
【図１２】
0003950355.tif 000013
【図１３】
0003950355.tif 000014
【図１４】
0003950355.tif 000015
【図１５】
0003950355.tif 000016
【図１６】
0003950355.tif 000017
【図１７】
0003950355.tif 000018
【図１８】
0003950355.tif 000019
【図１９】
0003950355.tif 000020
【図２０】
0003950355.tif 000021
【図２１】
0003950355.tif 000022
【図２２】
0003950355.tif 000023
【図２３】
0003950355.tif 000024
【図２４】
0003950355.tif 000025
【図２５】
0003950355.tif 000026